(57)【要約】【課題】ホルダーを開いた状態ではケース内に入っている収納物を目で確認して取り出すことが可能な天井収納構造を提供する。【解決手段】収納物を入れるためのホルダー２４が車室内の天井面に開放された開口部２２において開閉操作可能に組み付けられた車両用の天井収納構造であって、ホルダー２４は、それを閉じた状態において天井面の開口部を閉塞する蓋２４ａと、この蓋の内側に位置して開口部内に収まるケース２４ｂとを備えている。ケース２４ｂを構成している外郭壁は、ホルダーを開いた状態において内部の収納物を視認可能に、例えば複数の孔２６が開けられたメッシュ構造になっている。【選択図】図２
2008001318.tif 000002
【特許請求の範囲】
【請求項１】
収納物を入れるためのホルダーが車室内の天井面に開放された開口部において開閉操作可能に組み付けられた車両用の天井収納構造であって、
ホルダーは、それを閉じた状態において天井面の開口部を閉塞する蓋と、この蓋の内側に位置して開口部内に収まるケースとを備え、ケースを構成している外郭壁は、ホルダーを開いた状態において内部の収納物を視認可能な構造になっている天井収納構造。
【請求項２】
請求項１に記載された天井収納構造であって、
ホルダーのケースを構成している外郭壁が、ケース内の収納物を視認可能に複数個の孔が開けられたメッシュ構造となっている天井収納構造。
【請求項３】
請求項１に記載された天井収納構造であって、
ホルダーのケースを構成している外郭壁が、ケース内の収納物を視認可能な透明の素材で成形されている天井収納構造。
【発明の詳細な説明】
【技術分野】
【０００１】
本発明は、例えばオーバーヘッドコンソールのように車室内の天井側に設けられ、コインやカード類などを収納可能な車両用の天井収納構造に関する。
【背景技術】
【０００２】
従来のオーバーヘッドコンソールは、例えば特許文献１に開示された構造のものが公知である。この文献からも明らかなようにオーバーヘッドコンソールは、各種の照明やそれらのスイッチ類を備えているとともに、コインやカード類などの収納物を入れるためのコンソールボックスを備えている。コンソールボックスは、支持軸を支点とする回動操作によって開閉可能なホルダーを備えている。このホルダーを開くことにより、その内側に位置しているケースが車室内に現れ、このケースに対して収納物を出し入れすることができる。
【特許文献１】特開２００６−２１７７１号公報
【発明の開示】
【発明が解決しようとする課題】
【０００３】
ホルダーを開いた状態においても、収納物の落下を防止する目的でケースの出し入れ口は天井側を向いている。このため、ケース内を覗き込んで収納物を確認するのは困難であり、通常はケース内の収納物を手探りで確認して取り出している。
【０００４】
本発明の目的は、ホルダーを開いた状態ではケース内に入っている収納物を目で確認して取り出すことが可能な天井収納構造を提供することである。
【課題を解決するための手段】
【０００５】
本発明は、上記の目的を達成するためのもので、以下のように構成されている。
第１の発明は、収納物を入れるためのホルダーが車室内の天井面に開放された開口部において開閉操作可能に組み付けられた車両用の天井収納構造であって、ホルダーは、それを閉じた状態において天井面の開口部を閉塞する蓋と、この蓋の内側に位置して開口部内に収まるケースとを備えている。ケースを構成している外郭壁は、ホルダーを開いた状態において内部の収納物を視認可能な構造になっている。
【０００６】
この構成によれば、ホルダーを開いた状態においてケース内に入っている収納物を目で確認して取り出すことができ、ホルダーを閉じた状態では蓋によって天井面の開口部を閉塞してケース内の収納物を見えなくし、意匠性ならびに防犯性を維持することができる。
【０００７】
第２の発明は、第１の発明に記載された天井収納構造であって、ホルダーのケースを構成している外郭壁が、ケース内の収納物を視認可能に複数個の孔が開けられたメッシュ構造となっている。
【０００８】
これにより、ホルダーのケースを従前どおりの素材で成形しても、内部の収納物を目で確認して取り出すことができる。
【０００９】
第３の発明は、第１の発明に記載された天井収納構造であって、ホルダーのケースを構成している外郭壁が、ケース内の収納物を視認可能な透明の素材で成形されている。
この場合、ケース内に入っている収納物をより明確に視認することができる。
【発明を実施するための最良の形態】
【００１０】
以下、本発明を実施するための最良の形態を、図面を用いて説明する。
図１は自動車のオーバーヘッドコンソールを表した平面図である。図２は同じくオーバーヘッドコンソールを表した外観斜視図である。これらの図面で示すオーバーヘッドコンソールは、車室内の天井側に取り付けられる樹脂製のベース１０を備えている。このベース１０には、ドームランプやマップランプが内蔵された照明部１４、これらのランプをオンオフするためのスイッチ類１６およびコンソールボックス２０が設けられている。
【００１１】
コンソールボックス２０は、ベース１０の表面に開放された矩形の開口部２２と、この開口部２２に組み付けられた収納物用のホルダー２４とによって構成されている。開口部２２はベース１０に成形された凹状の空間によって構成され、ベース１０の表面で開放されている（図２）。そしてベース１０が天井に取り付けられた状態では、その表面と天井とが面一になることから、ベース１０の開口部２２は天井面において開放された状態となる。一方、ホルダー２４は、開口部２２を閉塞できる寸法に設定された矩形の蓋２４ａと、蓋２４ａの内側に位置してコインやカード類などの収納物を入れることができるケース２４ｂとを備えている（図２）。なおホルダー２４についても樹脂材による一体成形品である。
【００１２】
図３はホルダー２４を内側から見た平面図である。図４は図３の側面図である。これらの図面からも明らかなように、ホルダー２４における一端部側の両サイドには支持軸２４ｄがそれぞれ同一直線上に設けられている。両支持軸２４ｄは、ベース１０における開口部２２の内壁に対してそれぞれ回転可能に支持されている。すなわち、両支持軸２４ｄの軸線を支点とするホルダー２４の回転により、開口部２２においてホルダー２４が開閉操作される。
【００１３】
両支持軸２４ｄの一方に対しては、ホルダー２４を常に開く方向へ付勢するスプリング（図示省略）の力が作用している。また両支持軸２４ｄの他方に対しては、図２で示す噛み合いギヤ対２８を通じてダンパー３０による回転負荷を作用させるようになっている。このため、ホルダー２４がスプリング力によって開くときの回転スピードが安定する。なおコンソールボックス２０は、ホルダー２４を閉じた状態でベース１０側にロックし、あるいはロック解除が可能な機構（図示省略）を備えている。
【００１４】
図１ではホルダー２４を閉じた状態が示され、図２ではホルダー２４を開いた状態が示されている。ホルダー２４を閉じた状態では蓋２４ａによって開口部２２を閉塞しているとともに、ケース２４ｂは開口部２２内に収まっている。ケース２４ｂは、ホルダー２４を開いた状態において天井側に向かって開口した収納物の出し入れ口２４ｃを有する。そしてケース２４ｂを構成している外郭壁は、複数個の孔２６が開けられたメッシュ構造になっている。したがってホルダー２４を開いた状態におけるケース２４ｂ内の収納物は、ケース２４ｂのメッシュ構造の各孔２６を透して視認することができる。
【００１５】
このように本実施の形態のコンソールボックス２０は、ホルダー２４がそのケース２４ｂも含めて樹脂材による一体成形品であっても、ケース２４ｂの外郭壁に開けられた複数個の孔２６により、このケース２４ｂ内の収納物を外側から一目で確認できる。したがって図２で示すようにホルダー２４を開いてケース２４ｂ内の収納物を取り出すときは、その収納物を手探りで確認するのではなく、目で確認して取り出すことができる。またホルダー２４を閉じた状態では、ケース２４ｂは開口部２２に収まり、かつ、蓋２４ａによって開口部２２が閉塞されるので、これまでと同様にコンソールボックス２０の外からは収納物を見ることができず、意匠性ならびに防犯性が維持される。
【００１６】
以上は本発明を実施するための最良の形態を図面に関連して説明したが、この実施の形態は本発明の趣旨から逸脱しない範囲で容易に変更または変形できるものである。
例えばケース２４ｂの外郭壁に開けられる孔２６は、図面で示すように外郭壁全体にわたってメッシュ構造とする構成に限るものではなく、収納物が落下しない大きさの小窓を外郭壁の一部に開けてもよい。またケース２４ｂの外郭壁を透明の樹脂材で成形することで、ケース２４ｂ内の収納物を視認可能とすることも可能である。
【００１７】
コンソールボックス２０の形式について、ホルダー２４の開閉動作は支持軸２４ｄを支点とする回転に限定されるものではなく、例えばリンク機構によってホルダー２４を開閉動作させる構造に代えることもできる。さらに、図面で示すコンソールボックス２０はオーバーヘッドモジュールとなっているが、ホルダー２４を車室内の天井に設けられた開口部に対して開閉可能に直接取り付ける構成にしてもよい。
【図面の簡単な説明】
【００１８】
【図１】自動車のオーバーヘッドコンソールを表した平面図
【図２】自動車のオーバーヘッドコンソールを表した外観斜視図
【図３】ホルダーを内側から見た平面図
【図４】図３の側面図
【符号の説明】
【００１９】
２２ 開口部
２４ ホルダー
２４ａ  蓋
２４ｂ  ケース
【図１】
2008001318.tif 000003
【図２】
2008001318.tif 000004
【図３】
2008001318.tif 000005
【図４】
2008001318.tif 000006